(57)【要約】      （修正有）【課題】棚板部材取り付けの際、ブラケットの取り付け部を傷つけず、且つ係合の際の狙いが大きく、組立て操作がし易い商品陳列棚を提供する。【解決手段】棚板部材２のブラケット係止部が係止する本体係止部４を有する本体部１と、本体係止部４にブラケット係止部が着脱自在に係止する棚板部材２を備える。本体係止部４は、水平棒部材が上下方向に多数形成されたはしご状であって、横方向に離間して位置する左右一対である。ブラケット係止部は、水平棒部材と係止する第１係止凹部と、第１係止凹部に隣接する第２係止凹部とからなるフック状部と、第１係止凹部又は第２係止凹部が係止する水平棒部材の直下の水平棒部材に当接する面状の当接部とを有する。左右一対のフック状部は、互いの幅寸法が異なるものであり、一方のフック状部が、２つの板状体からなり、２つの板状体が寸法ｍで離間して対峙するものであり、他方のフック状部の幅寸法ｎが寸法ｍより小である。【選択図】図１
0003186880.tif 000002
【実用新案登録請求の範囲】
【請求項１】
棚板部材のブラケット係止部が係止する本体係止部を有する本体部と、
該本体係止部に該ブラケット係止部が着脱自在に係止する棚板部材を備え、
該本体係止部は、正面視で水平方向に延びる水平棒部材が上下方向に所定のピッチ（ｐ）で多数形成されたはしご状であって、横方向に離間して位置する左右一対であり、
該ブラケット係止部は、該本体係止部に対応するように位置する左右一対であり、基端側に、該水平棒部材と係止する第１係止凹部と、該第１係止凹部より先端側であって該第１係止凹部に隣接する第２係止凹部とからなるフック状部と、該第１係止凹部又は該第２係止凹部が係止する水平棒部材の直下の水平棒部材に当接する該第２係止凹部の下方に位置する面状の当接部とを有し、該左右一対のフック状部は、互いの幅寸法が異なるものであり、一方のフック状部が、２つの板状体からなり、該２つの板状体が寸法ｍで離間して対峙するものであり、他方のフック状部の幅寸法ｎが寸法ｍより小であることを特徴とする商品陳列棚。
【請求項２】
該本体係止部は、四角形状の枠体の左側内側と右側内側に形成されたものであることを特徴とする請求項１記載の商品陳列棚。
【請求項３】
該はしご状の本体係止部は、コ字形状の部材を該コ字の２つの横線部が水平棒部材となるように両側の鉛直部材に溶着して形成されたものであることを特徴とする請求項１又は２記載の商品陳列棚。
【請求項４】
該ブラケット係止部の該水平棒部材と当たる部分に、樹脂カバーを取り付けたことを特徴とする請求項１〜３のいずれか１項に記載の商品陳列棚。
【請求項５】
該はしご状の本体係止部に、該棚板部材を正面側からと背面側からそれぞれ取り付け、正面側と背面側の両面棚としたことを特徴とする請求項１〜４のいずれか１項に記載の商品陳列棚。
【請求項６】
表側の棚板部材のブラケット係止部が係止する水平棒部材に、背面側の棚板部材のブラケット係止部が係止することを特徴とする請求項５記載の商品陳列棚。
【考案の詳細な説明】
【技術分野】
【０００１】
本考案は、量販店、スーパー等において使用される商品を陳列する商品陳列棚の改良技術に関するものである。
【背景技術】
【０００２】
従来、スーパー等の店内で商品を陳列する方法として、上下方向に複数の陳列棚を設けた商品陳列棚を使用し、この陳列棚に商品を並べる方法が、簡単な構造で且つ設置面積当たりの商品陳列面積が大きく採れる点で好適に用いられている。
【０００３】
従来の多段商品陳列棚は、図１２に示すように、左右両側の支柱１０１にブラケット１０２を取り付け、ブラケット１０２間に棚板部材１０３を差し渡しで取り付けたものが知られている。支柱１０１へのブラケット１０２の取り付けは、支柱１０１に形成されたスリット状の係合孔１０４にブラケット１０２の係止片を差し込み固定するものがよく知られている。
【考案の開示】
【考案が解決しようとする課題】
【０００４】
しかしながら、従来の商品陳列棚を取り付ける場合、支柱のスリット状の係合孔は幅が狭いため、係合の際の狙いが小さく、取り付けがし難いという問題があった。また、係合のたびに係合孔周りの金属部分を傷つけるという問題があった。
【０００５】
従って、本考案の目的は、棚板部材を取り付る際、ブラケットの取り付け部を傷つけることがなく、且つ係合の際の狙いが大きく、取り付けが容易な商品陳列棚を提供することにある。
【課題を解決するための手段】
【０００６】
すなわち、本考案は、上記従来の課題を解決したものであり、棚板部材のブラケット係止部が係止する本体係止部を有する本体部と、該本体係止部に該ブラケット係止部が着脱自在に係止する棚板部材を備え、該本体係止部は、正面視で水平方向に延びる水平棒部材が上下方向に所定のピッチ（ｐ）で多数形成されたはしご状であって、横方向に離間して位置する左右一対であり、該ブラケット係止部は、該本体係止部に対応するように位置する左右一対であり、基端側に、該水平棒部材と係止する第１係止凹部と、該第１係止凹部より先端側であって該第１係止凹部に隣接する該第２係止凹部とからなるフック状部と、該第１係止凹部又は該第２係止凹部が係止する水平棒部材の直下の水平棒部材に当接する第２係止凹部の下方に位置する面状の当接部とを有し、該左右一対のフック状部は、互いの幅寸法が異なるものであり、一方のフック状部が、２つの板状体からなり、該２つの板状体が寸法ｍで離間して対峙するものであり、他方のフック状部の幅寸法ｎが寸法ｍより小であることを特徴とする商品陳列棚を提供するものである。
【０００７】
また、本考案は、該本体係止部は、四角形状の枠体の左側内側と右側内側に形成されたものである前記商品陳列棚を提供するものである。
【０００８】
また、本考案は、該はしご状の本体係止部は、コ字形状の部材を該コ字の２つの横線部が水平棒部材となるように両側の鉛直部材に溶着して形成されたものである前記商品陳列棚を提供するものである。
【０００９】
また、本考案は、該ブラケット係止部の該水平棒部材と当たる部分に、樹脂カバーを取り付けた前記商品陳列棚を提供するものである。
【００１０】
また、本考案は、該はしご状の本体係止部に、該棚板部材を正面側からと背面側からそれぞれ取り付け、正面側と背面側の両面棚とした前記商品陳列棚を提供するものである。
【００１１】
また、本考案は、表側の棚板部材のブラケット係止部が係止する水平棒部材に、背面側の棚板部材のブラケット係止部が係止する前記商品陳列棚を提供するものである。
【考案の効果】
【００１２】
本考案によれば、はしご状の水平棒部材への係合であるため、ブラケットの取り付けは、的の大きな引っ掛けによる係止と下方の水平棒部材との当接の２点で行なうため、取り付けが容易で且つブラケットの取り付け部を傷つけることがない。
【図面の簡単な説明】
【００１３】
【図１】本考案の実施の形態における商品陳列棚の斜視図である。
【図２】図１の商品陳列棚を構成する本体部の斜視図である。
【図３】図１の商品陳列棚を構成する棚板部材の裏側から見た分解斜視図である。
【図４】図１の商品陳列棚の右側面図である。
【図５】（Ａ）は一対の中の一方のブラケットの正面図であり、（Ｂ）は（Ａ）の底面図である。
【図６】（Ａ）は一対の中の他方のブラケットの正面図であり、（Ｂ）は（Ａ）の底面図である。
【図７】第２係止凹部と水平棒部材の係止及び当接部と直下の水平棒部材の当接を説明する図である。
【図８】第１係止凹部と水平棒部材の係止及び当接部と直下の水平棒部材の当接を説明する図である。
【図９】棚板部材の収納状態を説明する図である。
【図１０】本考案の他の実施の形態における商品陳列棚の側面図である。
【図１１】表側と裏側の両面使用におけるブラケット係止部の係止を説明する図である。
【考案を実施するための形態】
【００１４】
次に、本考案の第１の実施の形態における商品陳列棚を図１〜図９を参照して説明する。
本例の商品陳列棚１０は、本体部１と本体部１に着脱自在の棚板部材２とからなる。なお、本明細書中、正面とは図１の片面支持形態における棚板部材２側であり、左右方向及び上下方向とは、正面から見た方向を言う。
【００１５】
本体部１は、棚板部材２のブラケット係止部２２３が係止する本体係止部４を有する。本体部１は、図２に示すように、裏面にキャスター５１が付設された前後方向に延びる四角形断面の棒状部材１２の左右一対ものと、該棒状部材１２を後方で連結する横棒部材からなる基部１２と、基部１２の後方で起立状に延びる起立状本体部１１Ａとからなる。基部１２は、起立状本体部１１Ａを安定に支持すると共に、最下棚板３を支持する機能を有する。
【００１６】
起立状本体部１１Ａは、基部１２の後方且つ両側から起立状に延びる方形アーチ状の枠体１１と、方形アーチ状の枠体１１の左側内側と右側内側に形成されたはしご状の本体係止部４を有する。方形アーチ状の枠体１１は、本体係止部４を形成させるためのものである。
【００１７】
本体係止部４は、正面視で水平方向に延びる水平棒部材４が上下方向に所定のピッチ（ｐ）で多数形成されたはしご状であって、横方向に離間して位置する左右一対４ａ、４ｂである。すなわち、本体係止部４は、方形アーチ状の枠体１１の縦部材１１ａと縦部材１１ａの横方向に離間して位置する内側縦部材４１間に水平棒部材４が差し渡しで形成されたものである。
【００１８】
ピッチ（ｐ）は、ブラケット係止部２２３が正面から挿入できる程度の間隔があればよい。ピッチ（ｐ）は大き過ぎると、棚板部材２の設置位置が限定され、上下の棚板部材２間を所望の寸法にできない場合がある。ピッチ（ｐ）は、具体的には、ブラケット係止部２２３の大きさにもよるが、４０〜７０ｍｍ、好適には５０ｍｍである。
【００１９】
また、水平棒部材４の長さは、幅広のブラケット係止部２２３が比較的余裕を持って挿入できる寸法である。水平棒部材４の長さが、長過ぎると、棚板部材２が横方向に動く範囲が広がり、不用意に暴れることがある。また、水平棒部材４の長さが、短過ぎると、幅広のブラケット係止部２２３が挿入し難くなる。水平棒部材４の長さは、具体的には、ブラケット係止部２２３の大きさにもよるが、５０〜８０ｍｍ、好適には６０ｍｍである。
【００２０】
一対の中のひとつの本体係止部４における水平棒部材４の設置数は、商品陳列棚の高さ寸法により変わるため一概に決定できないものの、１５〜２５、好ましくは２０である。また、はしご状の本体係止部４は、コ字形状の部材をコ字の２つの横線部が水平棒部材となるように両側の鉛直部材１１ａ、４１に溶着して形成されたものが好ましい。コ字形状の部材を使用することで、コ字部材ひとつの設置で、２つの水平棒材４を形成することができる。また、商品陳列棚製造において、内側縦部材４１に予め多数のコ字部材を溶接で固定しておき、その後、方形アーチ状の枠体１１の縦部材１１ａに水平棒の端部を溶接により固定すれば、はしご状の本体係止部４を比較的簡単に作製できる。
【００２１】
商品陳列棚１０の基部１２周りは、特に制限されるものではないが、本例では、基部１２に、最下段の棚板部材３が回動自在に軸支されている。すなわち、棚板部材３は、棚板部材３の後方両側近傍の裏面において基部１２と回動自在に軸支されている。これにより、最下段の棚板部材３は不使用時、先端を後方に跳ね上げることで、起立状本体部１１Ａに立て掛けることができる。また、使用時には立て掛けた棚板部材３を前方へ倒せばよい。
【００２２】
商品陳列棚１０において、左右一対のはしご状の本体係止部４間は、特段の部材は存在せず、空間５を形成している。これにより、軽量化を維持しつつ棚板部材３の支持部を形成することができる。また、必要に応じて、方形アーチ状の枠体１１に係止具を設置しておけば、本体係止部４間に目隠し用の背面板として薄板を設置することができる。
【００２３】
棚板部材２は、本体係止部４にブラケット係止部２２３が着脱自在に係止するものであり、具体的には、商品が載置する略長方形の棚板部材本体部２１と、ブラケット２２と、ブラケット２２を棚板部材本体部２１に取り付けるための長尺状の留め具２３とからなる。
【００２４】
棚板部材本体部２１は、板状体であって、裏面構造は、軽量化と強度の双方を達成するため、リブ構造となっている。また、棚板部材本体部２１の後方やや端側寄りには、ブラケット係止部２２３の頭出し用の切り欠き部２１１が形成されている。ブラケット２２は、ブラケット本体部２２２とブラケット本体部２２２の基端側に形成されるブラケット係止部２２３とブラケット係止部２２３を保護する樹脂カバー２２４からなる。ブラケット本体部２２２は、棚板部材本体部２１とブラケット係止部２２３を接続固定するものである。
【００２５】
ブラケット係止部２２３は、本体係止部４に対応するように位置する左右一対であり、基端側に、水平棒部材４２と係止する第１係止凹部６と、第１係止凹部６より棚板部材２の先端側（図５中、符号Ｂの側）であって第１係止凹部６に隣接する第２係止凹部７とからなるフック状部２２３ａと、第１係止凹部６又は第２係止凹部７が係止する水平棒部材４２ａの直下の水平棒部材４２ｂに当接する第２係止凹部７の下方に位置する面状の当接部８とを有する。第１係止凹部６及び第２係止凹部７は共に、水平棒部材４２の径よりもやや大の遊びのある凹形状である。
【００２６】
当接部８は、第２係止凹部７の略直下に位置するものの、第２係止凹部７の凹形状が平棒部材４２の径よりもやや大の遊びのある凹形状を有するため、第２係止凹部７の直下よりやや基端側に突出している。当接部８は鉛直面であり、水平棒部材４２が第１係止凹部６又は第２係止凹部７のいずれに係合しても、水平棒部材４２とは線接触となる。なお、水平棒部材４２に第２係止凹部７が係止すると、棚板部材２の陳列面は水平状態となる。当接部８は、本例では、２つの板状体の板端面としてそれぞれ形成されている。
【００２７】
図７に示すように、水平棒部材４２ａに第２係止凹部７が係止すると、水平棒部材４２ａ直下の水平棒材４２ｂに当接部８が当接する。第１係止凹部６の形成位置は、図７の水平棒材４２ｂを中心に水平棒材４２ａを反時計回りに約３０度回転させた位置に形成されている。これにより、水平棒部材４２に第１係止凹部６が係止すると、棚板部材２の陳列面は約３０度の下り傾斜状態となる。
【００２８】
左右一対のフック状部２２３ａ、２２３ｂは、互いの幅寸法が異なるものであり、一方のフック状部２２３ｂ（幅広フック状部）が、２つの板状体（図６参照）からなり、２つの板状体が寸法ｍで離間して対峙するものであり、他方のフック状部（幅狭フック状部）の幅寸法ｎ（図５参照）が寸法ｍより小である。これにより、図１１に示すように、ひとつの水平棒部材４２に一方の棚板部材２の幅狭フック状部２２３ａが例えば正面側から、他方の棚板部材の幅広フック状部２２３ｂが背面側から同時に係止できる。なお、他方のフック状部（幅狭フック状部）２２３ａは、必ずしも２つの板状体から構成される必要はないが、一方のフック状部２２３ｂ（幅広フック状部）同様に、２つの板状体からなることが強度と軽量化が両立できる点で好ましい。
【００２９】
商品陳列棚１０において、ブラケット係止部２２３の水平棒部材４２と当たる部分に、樹脂カバー２２４を取り付けたものが、金属同士の接触により損傷を防止できる点で好ましい。また、ブラケット係止部２２３は水平棒部材４２を支持する両側の鉛直部材１１ａ、４１と当たる部分も同様に樹脂カバー２２４を取り付けたものが好ましい。
【００３０】
また、ブラケット２２のブラケット係止部２２３側の下方には、フック状の第３係止凹部９が形成されている。第３係止凹部９の形状は、水平棒部材４２に第３係止凹部９を係止させた際、ブラケット係止部２２３が頭となり、棚板部材２が吊り下げ状態となるような形状である。
【００３１】
次に、商品陳列棚１０の組み付け方法について説明する。先ず、片面（正面）使用の商品陳列棚１０とする場合、図２に示す本体部１に棚板部材２が正面から取り付けられる。本体係止部４は、棚板部材２のブラケット係止部２２３と対応する位置にあるため、本体部１に棚板部材２を取り付けるには、棚板部材２を水平にしつつ、一方の本体係止部４を狙って位置決めすれば、他方の本体係止部４と他方のブラケット係止部２２３が自然と対応することになる。そして、図７に示すように、棚板部材２を水平棚とする場合、水平棒部材４２ａに第２係止凹部７を係止させ、水平棒部材４２ａ直下の水平棒材４２ｂに当接部８が当接するようにする。これにより、棚板部材２の陳列面は水平となる。
【００３２】
図８に示すように、棚板部材２を傾斜姿勢とする場合、水平棒部材４２ａに第１係止凹部６を係止させ、水平棒部材４２ａ直下の水平棒材４２ｂに当接部８が当接するようにする。これにより、棚板部材２は傾斜姿勢となる。なお、棚板部材２の前方端に、例えば線材で網状に形成された転落防止部材（不図示）を設置すれば、箱状物等の商品を陳列することができる。なお、最下段の棚板部材３は、基台１２１に形成された軸受部材に、棚板部材３に形成された軸棒を取り付け、回動自在とし、使用時、棚板部材３を寝かして水平状態となるようにすればよい。棚板部材２、３には、商品が陳列される。また、キャスター５１が付設されており、店内を自由に移動できる。
【００３３】
次に、正面及び背面両面使用の商品陳列棚１０ａとする場合、図２に示す本体部１に棚板部材２が正面と背面の両側から取り付けられる。正面の棚板部材２の取り付けは、前述の片面（正面）使用の商品陳列棚１０とする場合と同様である。次に、片面（正面）使用の商品陳列棚１０を１８０度回転させ、前後反転する。この状態において、棚板部材２が係止されている水平棒部材４２に新たに設置しようとする棚板部材２を係止する。
【００３４】
正面及び背面両面使用において、本体部１の本体係止部４に棚板部材２を取り付ける方法は、前述の片面（表面）使用の商品陳列棚１０とする場合と同様である。すなわち、図１１に示すように、互いに幅寸法が異なる左右一対のフック状部２２３ａ、２２３ｂを有する同じ棚板部材２を背面側（裏側）で使用するため、同じ水平棒部材４２に係止するフック状部は、幅広のフック状部２２ｂと幅狭のフック状部２２３ａとなる。そして、幅狭のフック状部２２３ａの幅寸法ｎは、幅広のフック状部２２３ｂの２つの対峙する板状体の間隔ｍより小であり、幅狭のフック状部２２３ａは、幅広のフック状部２２ｂの２つの板状体の中に納まる。このため、幅広のフック状部２２ｂと幅狭のフック状部２２３ａの両者は互いに干渉することなく、水平棒部材４２に係止される。なお、正面及び背面両面使用の商品陳列棚とする場合、正面及び背面の棚板部材２は、同一の水平棒部材４２に係止する以外に、異なる水平棒部材４２に係止するものであってもよい。なお、図１１は一部を省略した横断面図である。
【００３５】
なお、正面及び背面両面使用の商品陳列棚とする場合、背面側の基台１２ａを新たに設置することが、設置安定性が得られる点で好ましい。なお、背面側の基台１２ａは前方の基台１２に接続自在の別部材とすることが、正面使用の商品陳列棚１０の場合に設置面積を採らずに済む点で好ましい。なお、背面側の基台１２ａは当初から前方の基台１２に接続固定されていてもよい。
【００３６】
次に、使用状態の商品陳列棚を不使用状態の商品陳列棚とする方法について説明する。この場合、棚板部材２は全て取り外し、第３係止凹部９を第１係止凹部６や第２係止凹部７が係止していた水平棒部材４２に係止し、棚板部材２を吊り下げ状態とすればよい。また、最下段の棚板部材３を後方側へ跳ね上げれば、アーチ状の枠体１１に沿って立て掛けることができる。
【００３７】
本考案の商品陳列棚は、上記実施の形態例に限定されず、種々の変形例を採ることができる。すなわち、商品陳列棚はキャスター付きの移動体に限定されず、例えば、固定台（基台）に固定される商品陳列棚であってもよい。また、最下段の棚板部材３は固定棚であってもよいし、設置を省略してもよい。また、商品陳列棚は本例のような４段の陳列棚に限定されず、２段、３段あるいは５段以上であってもよい。また、第１係止凹部６及び第２係止凹部７は、水平棒部材４２の径よりもやや大の遊びのある凹形状に限定されず、開口が大きく、且つ溝底が角部を有する角溝等であってもよい。
【産業上の利用可能性】
【００３８】
本考案の商品陳列棚は、店側にとって、ブラケットの取り付けは、的の大きな引っ掛けによる係止と下方の水平棒部材との当接の２点で行なうため、取り付けが容易で且つブラケットの取り付け部を傷つけることがない。
【符号の説明】
【００３９】
１    本体部
２    棚板部材
３    最下段の棚板部材
４    本体係止部
８    面状の当接部
１０、１０ａ    商品陳列棚
１１    方形アーチ状の枠体
１１Ａ  起立状本体部
１２    基台
２２    ブラケット
４２    水平棒部材
５１
２２３    ブラケット係止部
２２３ａ、２２３ｂ    フック状部
【図１】
0003186880.tif 000003
【図２】
0003186880.tif 000004
【図３】
0003186880.tif 000005
【図４】
0003186880.tif 000006
【図５】
0003186880.tif 000007
【図６】
0003186880.tif 000008
【図７】
0003186880.tif 000009
【図８】
0003186880.tif 000010
【図９】
0003186880.tif 000011
【図１０】
0003186880.tif 000012
【図１１】
0003186880.tif 000013
【手続補正書】
【提出日】平成25年8月2日(2013.8.2)
【手続補正１】
【補正対象書類名】明細書
【補正対象項目名】００１３
【補正方法】変更
【補正の内容】
【００１３】
【図１】本考案の実施の形態における商品陳列棚の斜視図である。
【図２】図１の商品陳列棚を構成する本体部の斜視図である。
【図３】図１の商品陳列棚を構成する棚板部材の裏側から見た分解斜視図である。
【図４】図１の商品陳列棚の右側面図である。
【図５】（Ａ）は一対の中の一方のブラケットの正面図であり、（Ｂ）は（Ａ）の底面図である。
【図６】（Ａ）は一対の中の他方のブラケットの正面図であり、（Ｂ）は（Ａ）の底面図である。
【図７】第２係止凹部と水平棒部材の係止及び当接部と直下の水平棒部材の当接を説明する図である。
【図８】第１係止凹部と水平棒部材の係止及び当接部と直下の水平棒部材の当接を説明する図である。
【図９】棚板部材の収納状態を説明する図である。
【図１０】本考案の他の実施の形態における商品陳列棚の側面図である。
【図１１】表側と裏側の両面使用におけるブラケット係止部の係止を説明する図である。
【図１２】従来の商品陳列棚の斜視図である。
【手続補正２】
【補正対象書類名】図面
【補正対象項目名】図１２
【補正方法】追加
【補正の内容】
【図１２】
0003186880.tif 000014
【手続補正書】
【提出日】平成25年8月29日(2013.8.29)
【手続補正１】
【補正対象書類名】実用新案登録請求の範囲
【補正対象項目名】請求項１
【補正方法】変更
【補正の内容】
【請求項１】
棚板部材のブラケット係止部が係止する本体係止部を有する本体部と、
該本体係止部に該ブラケット係止部が着脱自在に係止する棚板部材を備え、
該本体係止部は、正面視で水平方向に延びる水平棒部材が上下方向に所定のピッチで多数形成されたはしご状であって、横方向に離間して位置する左右一対であり、
該ブラケット係止部は、該本体係止部に対応するように位置する左右一対であり、基端側に、該水平棒部材と係止する第１係止凹部と、該第１係止凹部より先端側であって該第１係止凹部に隣接する第２係止凹部とからなるフック状部と、該第１係止凹部又は該第２係止凹部が係止する水平棒部材の直下の水平棒部材に当接する該第２係止凹部の下方に位置する面状の当接部とを有し、該左右一対のフック状部は、互いの幅寸法が異なるものであり、一方のフック状部が、２つの板状体からなり、該２つの板状体が寸法ｍで離間して対峙するものであり、他方のフック状部の幅寸法ｎが寸法ｍより小であることを特徴とする商品陳列棚。